(57)【要約】【課題】外壁パネルと耐震要素を構成する斜め部材との間に形成された狭い空間に合理的に断熱材を充填する。【解決手段】耐震壁部に於ける断熱材の充填構造は、耐震要素Ａに対向して外壁パネル６が配置された耐震壁部の外壁パネル６側に断熱材１１，１２を充填するに際し、耐震要素Ａに対応する耐震壁面Ｂを上下方向に２〜３分割すると共に、夫々のうち１つ以上を更に横方向に２〜３分割して複数の分割面１１，１２を形成し、夫々の分割面の形状に対応させた断熱材１１，１２を形成する。断熱材１１，１２を耐震要素Ａの水平部材２，斜め部材３を通過させて耐震壁面Ｂに嵌め込むことで、柱１の間、梁４とで形成された耐震壁面Ｂに充填する。【選択図】　　　　　　　　図４
2004076319.tif 000002
【特許請求の範囲】
【請求項１】
耐震要素に対向して外壁パネルが配置された耐震壁部の外壁パネル側に断熱材を充填する充填構造であって、耐震要素に対応する面を上下方向に２分割乃至３分割すると共に、夫々のうち１つ以上を更に横方向に２分割乃至３分割して複数の分割面、又は前記複数の分割面を９０度回転させた回転分割面を設定し、夫々の分割面の形状に対応させた断熱材を形成し、前記夫々の分割面の形状に対応させた断熱材を耐震壁部に充填したことを特徴とする断熱材の充填構造。
【発明の詳細な説明】
【０００１】
【発明の属する技術分野】
本発明は、耐震要素と外壁とが対向して配置された耐震壁部に形成された空間に断熱材を充填して外壁の屋内側に連続した断熱層を形成する充填構造に関するものである。
【０００２】
【従来の技術】
鉄骨躯体を有する住宅では、建物の外周に配置された梁に沿って外壁パネルを取り付けると共に、該外壁パネルの屋内側の面に沿って断熱層を形成するのが一般的である。断熱層は、躯体を構成する柱と梁の間に枠からなる下地を形成し、該下地にグラスウール等の繊維系断熱材を充填して構成されている。そして、下地に繊維系断熱材を充填した後、屋内側に内壁を構成するための下地パネルを配置することで壁が構成されている。
【０００３】
一方、鉄骨躯体では、壁の厚み方向に、即ち、外壁パネルと内壁材との間に或いは内壁材どうしの間に、対峙して配置された一対の柱と、上下に配置された一対の水平部材（例えば梁）と、一対の柱と一対の水平部材からなる空間に斜めに配置された複数の部材からなる耐震要素を配置して耐震壁部を構成することがある。この耐震要素は、外壁パネルに沿って断熱材を設置する以前に組立が完了しているのが一般的である。
【０００４】
また適度な硬度と高い断熱性を有する硬質プラスチック系断熱材が提供されており、この断熱材を外壁に沿って屋内側に配置すると共に、該断熱材の更に屋内側の面に沿って内壁を施工することで、住宅に高い断熱性を付与して居住性を向上させ、且つ省エネルギー化を実現し得るようになっている。
【０００５】
【発明が解決しようとする課題】
上記の如き耐震要素を有する耐震壁部では、外壁パネルの屋内側の面には僅かな隙間を持って耐震要素の斜め部材が配置されるため、極めて狭い空間に断熱材を配置することが要求されることになる。
【０００６】
上記空間に繊維系断熱材のような軟質の断熱材を充填する場合、充填作業自体に大きな問題が生じることはないが、繊維系断熱材では充分な固定が出来ずに自重で沈下し、或いは座屈して断熱欠損が生じる虞がある。
【０００７】
また耐震要素の室内側の面に硬質プラスチック系断熱材を設置することも考えられるが、この場合、内壁を設置するための下地を設置するためのスペースがなくなってしまうという問題が生じる。更に、硬質プラスチック系断熱材を充填しようとしても、耐震要素を構成する斜め部材が邪魔になって作業が阻害されるという問題が生じている。
【０００８】
本発明の目的は、外壁パネルと耐震要素を構成する斜め部材との間に形成された狭い空間に合理的に断熱材を充填することが出来る耐震壁部に於ける断熱材の充填構造を提供することにある。
【０００９】
【課題を解決するための手段】
上記課題を解決するために本発明に係る耐震壁部に於ける断熱材の充填構造は、耐震要素に対向して外壁パネルが配置された耐震壁部の外壁パネル側に断熱材を充填する充填構造であって、耐震要素に対応する面を上下方向に２分割乃至３分割すると共に、夫々のうち１つ以上を更に横方向に２分割乃至３分割して複数の分割面、又は前記複数の分割面を９０度回転させた回転分割面を設定し、夫々の分割面の形状に対応させた断熱材を形成し、前記夫々の分割面の形状に対応させた断熱材を耐震壁部に充填したものである。
【００１０】
上記耐震壁部に於ける断熱材の充填構造（以下、単に「充填構造」という）では、一対の柱の間に形成された面を、上下方向に２〜３分割すると共に分割した２〜３の面のうち１つ以上を横方向に２〜３分割することで、好ましくは前記面を５〜７つの面、或いは９０度回転させた５〜７つの面に分割し、且つ夫々の面の形状に対応させた形状の断熱材を形成して、夫々対応する面に順に嵌め込むことで、極めて狭い部位であっても円滑に充填することが出来る。
【００１１】
【発明の実施の形態】
以下、本発明に係る充填構造の好ましい実施形態について説明する。本発明に係る充填構造は、躯体を構成する一対の柱と上下の水平部材（例えば上下の梁）の間で且つ外壁パネルと対向して配置された耐震要素と外壁パネルとの間に形成された極めて狭い空間に合理的に断熱材を充填したものである。
【００１２】
即ち、外壁に沿って配置された躯体を構成する耐震要素は、予め一対の柱の間に筋交い状に斜め部材が配置されて該柱に固定された状態で所定位置に取り付けられている。従って、躯体を構成する外周の梁に沿って外壁パネルを取り付けたとき、外壁パネルに対向する耐震要素の位置では、屋内側の面に斜め部材が存在することとなり、該斜め部材が耐震要素を構成する一対の柱の間の空間に対する遮蔽材となって、この空間に対して断熱材を充填する作業を阻害することになる。そして本発明は、このような問題を回避して合理的に断熱材を充填したものである。
【００１３】
外壁パネルとしては特に限定するものではなく、軽量気泡コンクリート（ＡＬＣ）パネルや、プレキャストコンクリート（ＰＣ）パネル等を利用することが可能である。しかし、軽量で断熱性が優れており且つ共鳴透過現象を防止して遮音性能を発揮し得ること等からＡＬＣパネルを用いることが好ましい。
【００１４】
耐震要素は地震時の振動を吸収する機能を有するものであり、対峙して配置された一対の柱の間にブレース或いは筋交い等の斜め部材が配置される。このような耐震要素は、建物の設計段階で設定されるものであり、本発明では、如何なる構造の耐震要素が配置されたとしても、この耐震要素の構造を問うものではない。
【００１５】
断熱材としては材料を特に限定するものではなく、適度な硬度と充分に高い気密性と断熱性を有するものであれば利用することが可能である。このような断熱材としては、硬質ウレタンフォームや押出発泡ポリスチレン或いはフェノール樹脂発泡体等の成形体や発泡体を含む硬質プラスチック系断熱材があり、何れも利用することが可能である。
【００１６】
例えば、硬質ウレタンフォームや押出発泡ポリスチレンでは、厚さを選択することによって、住宅として充分な断熱性能と気密性能を発揮させることが可能であり、且つ弾性を有するパッキン材に圧接させで気密性を発揮するに耐える硬度を有している。
【００１７】
しかし、硬質ウレタンフォームでは、経時的な断熱性能の低下や、火災時に爆燃性を有することや有毒ガスを発生するという課題を有し、発泡ポリスチレンでは、耐薬品性に劣るため、気密処理材が限定されることや燃え易いという課題も有する。
【００１８】
またフェノール樹脂発泡体からなる断熱材としては、本件出願人が開発して既に国際出願（特願２０００−５５８１５８）した技術（ネオマフォーム（登録商標））があり、断熱材として好ましく使用することが可能で、且つ気密材としても好ましく使用することが可能である。
【００１９】
上記技術に係るフェノール樹脂発泡体は、フェノール樹脂基体部と、多数の微細気泡から形成される気泡部とを有する密度が１０ｋｇ／ｍ３〜１００ｋｇ／ｍ３のフェノールフォームであり、前記微細気泡が炭化水素を含有し且つ平均気泡径が５μｍ〜２００μｍの範囲にあり、大部分の微細気泡の気泡壁が滑らかなフェノール樹脂基体面で構成されている。そして、発泡剤が炭化水素であるにも関わらず、従来のフロン系発泡剤と遜色のない熱伝導率を持ち、且つ熱伝動率の経時的な変化もなく、圧縮強度等の機械的強度に優れ、脆性が改善される。
【００２０】
上記フェノール樹脂発泡体では、高い断熱性と気密性を有し、且つこれらの性能を長期間維持し得る性質を有している。フェノール樹脂発泡体に於ける断熱性は、気泡径が５μｍ〜２００μｍの範囲、好ましくは１０μｍ〜１５０μｍと小さく、且つ独立気泡率を８０％以上と高く保持することによって確保することが可能である。またフェノール樹脂発泡体は高い耐燃焼性を有しており、火炎が作用したとき、表面が炭化することで、着火することがなく、且つガスが発生することがない。
【００２１】
例えば、フェノール樹脂発泡体の密度を２７ｋｇ／ｍ３に設定した場合、２０℃に於ける熱伝動率は０．０２Ｗ／ｍ・Ｋであり、圧縮強さは１５Ｎ／ｃｍ２、熱変形温度は２００℃である。前記フェノール樹脂発泡体の性能は、押出発泡ポリスチレン３種が熱伝動率；０．０２８Ｗ／ｍ・Ｋ、圧縮強さ；２０Ｎ／ｃｍ２、熱変形温度；８０℃であることや、硬質ウレタンフォーム２種が熱伝動率；０．０２４Ｗ／ｍ・Ｋ、圧縮強さ；８Ｎ／ｃｍ２、熱変形温度；１００℃であることと比較して充分に高い性能を有する。
【００２２】
このため、フェノール樹脂発泡体からなる断熱材では、従来の押出発泡ポリスチレンや硬質ウレタンフォームの約２／３程度の厚さで略同等の断熱性能を発揮することが可能である。
【００２３】
またフェノール樹脂発泡体は、比較的脆い材料であるため、少なくとも片面にクラフト紙や不織布からなる保護層を設けるのが一般的である。特に、本件出願人が開発して特許出願している特開平１１−１９８３３２号公報に開示されたフェノール樹脂発泡体積層板は、保護層を形成する不織布を改良することによって接着性能を向上させたものであり、この不織布によってフェノール樹脂発泡体の強度を改善して、強度、断熱性共に優れた建築用断熱材料として提供されるものである。
【００２４】
上記の如くフェノール樹脂発泡体の表裏面に保護層を設けた積層板からなる断熱材は、端面（小口面）はフェノール樹脂基体面が露出した状態となっている。このため、表裏面は保護層を構成する不織布を利用して貼着テープや貼着シートを貼り付けることが可能であるが、小口面は表裏面に比較して他の部材を貼着することが困難である。
【００２５】
またフェノール樹脂発泡体の表裏面に不織布による保護層を設けた断熱材では、脆さが改善されて曲げ強度や引っ張り強度が向上する。このため、幅の狭い場所に配置されたとき、自立して、断熱材及び気密材としての機能を充分に発揮することが可能である。特に、幅が１ｍ程度の狭い場所に配置されたとき、小口面が弾性を持ったパッキン材に圧接して自立することが可能であり有効である。
【００２６】
上記断熱材は、耐震要素と外壁パネルとの間の空間であって、耐震要素の柱と梁とによって形成された面に配置されて断熱層を構成する。このとき、耐震要素の斜め部材が前記面の屋内側の面に配置されるため、前記面を複数の面に分割して面積の小さい分割面を設定し、各分割面に対応する形状の断熱材を形成することによって、これらの断熱材を斜め材の間を通して嵌め込むことが可能となる。
【００２７】
耐震要素と外壁パネルとの間の空間に形成された面を分割する場合、個々の分割面は耐震要素を構成する斜め部材の間を通過し得る寸法と形状とであることが必要である。また面を分割するに際し、分割された分割面を必要以上に細分することは作業性を劣化させ、且つ断熱欠損が生じ易く、また気密性を確保するために面に嵌め込んだ後に隣接する断熱材を接続する作業が煩雑となり好ましくはない。
【００２８】
本件発明者等の経験では、外壁パネルと内壁材との間に或いは内壁材どうしの間に、対峙して配置された一対の柱と、上下に配置された一対の水平部材（例えば梁）と、一対の柱と一対の水平部材からなる空間に斜めに配置された複数の部材とによって構成される長方形の面（以下、「耐震壁面」という）を、柱に沿って上下方向に２〜３分割し、更に、分割された２つ以上を更に２〜３分割することで充分であった。
【００２９】
例えば、耐震壁面を上下方向に４分割した場合、個々の分割面は面積が小さくなるため、耐震要素の斜め部材の間を通し易くなる。しかし、通過させた断熱材を保持しておくのが困難となり、作業性に支障をきたす。また断熱材どうしの接続線が増加することとなり、断熱欠損が生じ易くなり好ましいものではない。
【００３０】
また耐震壁面を上下方向に２〜３分割した場合、一方の断熱材を嵌め込んだ後、この断熱材を柱又は梁方向に付勢しながら他方の断熱材を嵌め込むことが可能であり、或いは上下方向に２つの断熱材を嵌め込んだ後、これらを夫々上下方向に付勢しながら、中央の断熱材を嵌め込むことが可能であり、比較的に容易な作業を実現することが可能である。
【００３１】
特に、断熱材の小口面を、柱或いは梁と対向する小口面は表面に対し略垂直な面とし、他方の小口面であって他の断熱材と対向する小口面を互いに関連付けられた傾斜面とすることが好ましい。このような小口面を形成することで、耐震壁面に嵌め込む際に、一方の断熱材を押し込むことで、このとき作用する力の傾斜面による分力が柱や梁に対する押圧力として作用することが可能となる。
【００３２】
次に、上記充填構造の好ましい実施例について図を用いて説明する。図１は耐震要素を設けた躯体の構成を説明する図である。図２は外壁パネルと耐震要素との位置関係を説明する模式平断面図である。図３は断熱材を充填した状態を説明する模式平面図である。図４は充填構造の例を説明する図である。図５は充填構造の例を説明する図である。図６は充填構造の更に他の例を説明する図である。
【００３３】
図１に於いて、耐震要素Ａは、予め設定された距離を持って一対の柱１が対峙して配置され、該柱１の間に水平部材２が配置され、更に、該水平部材２に対して各柱１から斜め部材３が配置されている。各部材２，３は、夫々端部が柱１に、また柱１と水平部材２に固定され、地震時に作用する水平力を吸収し得るように構成されている。
【００３４】
上記耐震要素Ａは、上部の梁４と床スラブ５に隠れた基礎梁、或いは下部の梁との間に配置されると共に、上端部が梁４に下端部が基礎梁或いは下部の梁に固定される。
【００３５】
尚、耐震要素Ａの形状は、上記形状にのみ限定されるものではなく、予め耐震性能に応じて種々設定されるものである。従って、柱１の間の距離や、水平部材２，斜め部材３の寸法や形状等は目的の耐震能力に応じて変化するものである。
【００３６】
梁４の屋外側には複数の外壁パネル６が配置され、該外壁パネル６の上端部は図示しないイナズマプレートを介して梁４に取り付けられ、下端部は図示しない自重受け金具を介して基礎梁或いは下部の梁に支持されている。このようにして躯体に取り付けられた外壁パネル６によって外壁が構成されている。
【００３７】
図２に示すように、躯体に耐震要素Ａを取り付けると共に外壁パネル６を取り付けたとき、該耐震要素Ａを構成する一対の柱１と梁４と床スラブ５とによって耐震壁面Ｂが構成される。この耐震壁面Ｂに断熱材を配置する場合、該耐震壁面Ｂと等しい平面寸法を持った断熱材を嵌め込もうとしても、水平部材２や斜め部材３が邪魔になって嵌め込むことが出来ない。
【００３８】
このため、図３〜６に示すように、面Ｂを上下方向に２〜３分割すると共に分割された２つ以上を、更に横方向に２〜３分割して複数の分割面を形成し、分割面に対応した形状を持った断熱材を形成することで、これらの断熱材は、耐震要素Ａを構成する水平部材２，斜め部材３を通して容易に耐震壁面Ｂに嵌め込むことが可能となる。
【００３９】
ここで、耐震壁面Ｂを分割する際の分割例について図４〜６によって説明する。尚、図４（ａ）には耐震要素Ａを記載したが、他の図には耐震要素Ａを記載することなく、単に耐震壁面Ｂのみを記載している。
【００４０】
図４（ａ）は、耐震壁面Ｂを上下方向に２分割すると共に、夫々を横方向に３分割することで、６つの分割面１１，１２に分割したものである。前記分割面１１，１２は、上下方向で横方向の両端に形成された分割面１１は互いに同一形状に形成され、また上下方向で横方向の中央に形成された分割面１２は互いに同一形状に形成される。そして各分割面１１，１２に配置される断熱材１１，１２は、分割面１１，１２と同一の形状を持って形成される。
【００４１】
同図（ｂ）は、耐震壁面Ｂを上下方向に３分割すると共に、中分割面の上下の分割面を更に横方向に３分割することで、７つの分割面１３〜１５に分割したものである。前記分割面１３〜１５は、中分割面１３は独立した形状で形成され、中分割面１３の上下で横方向の両端に形成された分割面１４は同一形状に形成され、中分割面１３の上下で横方向の中央に形成された分割面１５は同一形状に形成される。そして各分割面１３〜１５に配置される断熱材１３〜１５は、前記分割面１３〜１５と同一の形状を持って形成される。
【００４２】
同図（ｃ）は、耐震壁面Ｂを上下方向に２分割すると共に、上下の分割面を横方向に２分割することで、４つの分割面１６に分割したものである。前記分割面１６は、互いに同一形状に形成される。そして各分割面１６に配置される断熱材１６は、前記分割面１６と同一の形状を持って形成される。このように、耐震壁面Ｂを４分割して断熱材を充填する場合、弾力性に富むポリエチレン系の断熱材であることが好ましい。しかし、硬質プラスチック系断熱材であっても、厚さが外壁パネル６と水平部材２，斜め部材３との間の距離の半分以下程度のものであれば充填することが可能である。
【００４３】
図５は、図４（ａ），（ｂ）に示す分割例を９０度回転させた分割例を示すものである。即ち、同図（ａ）は、耐震壁面Ｂを上下方向に３分割すると共に、各分割面を更に横方向に２分割することで、６つの分割面２１，２２に分割したものである。前記分割面２１，２２は、上下方向の中央に形成された中分割面２１は互いに同一形状に形成され、中分割面２１の上下で横方向に形成された分割面２２は互いに同一形状に形成される。そして各分割面２１，２２に配置される断熱材２１，２２は、分割面２１，２２と同一の形状を持って形成される。
【００４４】
同図（ｂ）は、耐震壁面Ｂを横方向に３分割すると共に、中分割面の左右の分割面を更に上下方向に３分割することで、７つの分割面２３〜２５に分割したものである。前記分割面２３〜２５は、中分割面２３は独立した形状で形成され、中分割面２３の左右で上下方向の両端に形成された分割面２４は同一形状に形成され、中分割面２３の左右で上下方向の中央に形成された分割面２５は同一形状に形成される。そして各分割面２３〜２５に配置される断熱材２３〜２５は、前記分割面２３〜２５と同一の形状を持って形成される。
【００４５】
尚、上記実施例に於いて、４枚の断熱材１１，１４，２１，２４、２枚の断熱材１２，２５を夫々同一の形状としたが、必ずしもこの構成に限定するものではなく、各分割面を個別に独立した形状とし、夫々の形状に対応させた断熱材を形成しても良いことは当然である。
【００４６】
更に、耐震壁面Ｂの分割例として図６（ａ）〜（ｃ）を上げることが可能である。即ち、同図（ａ）は、耐震壁面Ｂを上下方向に３分割すると共に、上下の分割面を更に斜め方向に２分割することで、５つの分割面２７ａ，２７ｂに分割したものである。前記分割面２７ａ，２７ｂは、中分割面２７ａは独立した形状で形成され、該中分割面２７ａの上下で斜め方向に形成された分割面２７ｂは同一形状に形成される。そして各分割面２７ａ，２７ｂに配置される断熱材２７ａ，２７ｂは、前記分割面２７ａ，２７ｂと同一の形状を持って形成される。
【００４７】
同図（ｂ）は、耐震壁面Ｂを上下方向及び横方向を夫々３つに分け、中央に中抜き状の中央分割面２８ａを形成すると共に、該中央分割面２８ａと耐震壁面Ｂの隅部を結んで夫々台形状の上下分割面２８ｂと、左右分割面２８ｃを形成したものである。この場合、中央分割面２８ａは、図に示すように四角形であって良く、また円形，楕円形等の形状であって良い。
【００４８】
同図（ｃ）は、耐震壁面Ｂを上下方向及び横方向を夫々３つに分け、中央に中抜き状の中央分割面２９ａを形成すると共に、該中央分割面２９ａの周囲に夫々短辺が何れかの方向の１分割に対応する寸法を有し長辺が他方向の２分割に対応する寸法を持った長方形の分割面からなる上下分割面２９ｂと左右分割面２９ｃを形成したものである。
【００４９】
上記の如き例であっても、本発明に於ける耐震要素に対応する面を上下方向に２分割〜３分割すると共に、夫々のうち１つ以上を横方向に２分割〜３分割するということに該当するものである。
【００５０】
次に、上記の如く分割することが可能な耐震壁面Ｂに断熱材を充填する手順について、図４（ａ）と図３を参照して説明する。尚、本発明に於いて、耐震壁面Ｂに配置される断熱材の材質及び厚さは特に限定するものではないが、本実施例では、適度な曲げ性と強度を有する硬質プラスチック系断熱材、特に、厚さ２５ｍｍのフェノール樹脂発泡体からなる断熱材を用いている。
【００５１】
先ず、図４（ａ）に示すように耐震壁面Ｂが分割面１１，１２に分割されたとき、上記断熱材を分割面１１，１２と同一形状に形成して断熱材１１，１２を構成する。即ち、４枚の断熱材１１と、２枚の断熱材１２を形成する。その後、下側の横方向両側の断熱材１１を、耐震要素Ａを構成する斜め部材３の間を通して耐震壁面Ｂに嵌め込み、夫々両側の柱１に押し付ける。
【００５２】
次いで、下側の中央の断熱材１２を断熱材１１の間に嵌め込む。このとき、両側の断熱材１１を柱１の方向の押圧して断熱材１２を押し込む。下側の断熱材１１，１２を耐震壁面Ｂに嵌め込んだ後に、上側の断熱材１１，１２を上記と同様の手順で嵌め込む。このとき、既に嵌め込まれている下側の断熱材１１，１２を下側に押圧させておき、更に、上側の断熱材１１，１２に撓みを発生させた状態で嵌め込み、下端部を下側の断熱材１１，１２に圧接させると共に上端部を梁に圧接させる。
【００５３】
そして予め外壁パネル６に於ける断熱材１１と断熱材１２の接続部に対応する位置に配置されたスペーサー８、柱１に対応して配置されたスペーサー７に対応する部分を釘やビス等の固定具を打ち込むことで、各断熱材１１，１２をスペーサー７，８を介して外壁パネル６に固定する。これにより、断熱材１１，１２は、耐震壁面Ｂに於ける夫々の配置位置を安定して保持することが可能となる。尚、図３に於いて３１は空気層である。
【００５４】
上記の如く構成された充填構造では、耐震壁面Ｂに配置された断熱材１１，１２の外壁パネル６側の接続部に断熱材からなるスペーサー８が配置されるため、この接続部を介して熱が伝導されることがなく、良好な断熱性を保持することが可能である。
【００５５】
特に、耐震壁面Ｂに於ける気密性を確保する場合、該耐震壁面Ｂに配置された複数の断熱材１１，１２を固定した後、隣接する断熱材１１，１２の継目３２に気密性を有する金属フィルムや合成樹脂フィルムからなる気密テープ３３を貼り付けることが好ましい。このように、継目３２を気密テープ３３によって塞ぐことで、高い気密性を発揮することが可能である。また予め柱１に図示しない弾性材料からなる気密パッキンを取り付けておき、この気密パッキンに断熱材１１，１２の小口面を圧接させるように構成することが好ましい。
【００５６】
尚、上記実施例では、断熱材１１，１２の小口面を表面に対して垂直に形成したが、断熱材１１と断熱材１２が互いに接触する小口面を傾斜面として形成しても良い。この場合、断熱材１２を断熱材１１の間に押し込む際に付勢する力が、傾斜面の角度に従って分力を発生し、この分力によって断熱材１１を柱１に圧接させることが可能となる。
【００５７】
上記説明は耐震壁面Ｂを図４（ａ）のように分割した際の構造を説明したが、他の図に示すように分割した場合でも、断熱材１２〜１５、２１〜２５、２７ａ，２７ｂ、２８ａ〜２８ｃ、２９ａ〜２９ｃの形状や、充填する手順については実質的に同様である。
【００５８】
【発明の効果】
以上詳細に説明したように本発明に係る充填構造では、耐震要素を構成する一対の柱の間と上下の梁或いは梁と床との間に形成された面を、上下方向に２〜３分割して分割面を形成すると共に、分割した２〜３の面のうち１つ以上を更に横方向に２〜３分割した分割面を形成することで、断熱材を充填すべき面を好ましくは５〜７つの分割面、或いは９０度回転させた５〜７つの分割面に分割することが出来る。そして夫々の分割面の形状に対応させた断熱材を形成して、夫々対応する分割面に順に嵌め込むことで、狭い部位であっても円滑に充填することが出来る。
【００５９】
従って、異なる仕様を持った耐震要素毎に、該耐震要素を構成する柱間の寸法が変化した場合であっても、この寸法の変化に関わらず、断熱材を充填する際の原理は同一であり、如何なる寸法の耐震要素であっても対応することが出来る。
【００６０】
また断熱材を充填すべき面を最小限の分割数での充填を実現することが出来、断熱材の製造数は最小限となり、部材数が増大することなく、合理的な構造とすることが出来る。
【図面の簡単な説明】
【図１】耐震要素を設けた躯体の構成を説明する図である。
【図２】外壁パネルと耐震要素との位置関係を説明する模式平断面図である。
【図３】断熱材を充填した状態を説明する模式平面図である。
【図４】充填構造の例を説明する図である。
【図５】充填構造の例を説明する図である。
【図６】充填構造の更に他の例を説明する図である。
【符号の説明】
Ａ　　　　　　　　　　耐震要素
Ｂ　　　　　　　　　　耐震壁面
１　　　　　　　　　　柱
２　　　　　　　　　　水平部材
３　　　　　　　　　　斜め部材
４　　　　　　　　　　梁
５　　　　　　　　　　床スラブ
６　　　　　　　　　　外壁パネル
７，８　　　　　　　　スペーサー
１１〜１６，２１〜２５，２７ａ，２７ｂ，２８ａ〜２８ｃ，２９ａ〜２９ｃ分割面、断熱材
３１　　　　　　　　　　空気層
３２　　　　　　　　　　継目
３３　　　　　　　　　　気密テープ
【図１】
2004076319.tif 000003
【図２】
2004076319.tif 000004
【図３】
2004076319.tif 000005
【図４】
2004076319.tif 000006
【図５】
2004076319.tif 000007
【図６】
2004076319.tif 000008